(57)【要約】半環状構成の本体部分をそれぞれに有し、互いに固定されて中央開口部を画成する環状本体を形成するときに本体部分によって形成される連続的な円筒形内部貯槽の一部を画成する第１及び第２の構成要素と、ポンプから延びる石鹸管路に結合され得るように内部貯槽と流れ連通する、第１の構成要素の本体部分の外周側上に装着されるパイプ取付け具と、内部貯槽から中央開口部まで流れ連通させる、本体部分を貫通して画成されて周方向に離間した分注穴と、第１及び第２の構成要素が互いに固定されるときに内部貯槽の緊密な封止体を形成するように結合する、第１及び第２の本体部分の対向端に形成された継手ピンとを具備する自動電線潤滑装置。
2007521784.tif 000002
【特許請求の範囲】
【請求項１】
（ａ）１対の複数の対向端と前記対向端のそれぞれの平坦な端面とを有する半円筒形構成の本体部分をそれぞれに含み、前記本体部分は、その前記平坦な端面が一体に組み付けられるとき、前記本体部分によって形成される連続的な円筒形内部貯槽の一部をそれぞれに画成する第１及び第２の構成要素と、
（ｂ）前記第１及び第２の構成要素の前記本体部分を着脱式に固定して、円筒形構成を有しかつ中央開口部を画成する環状本体になるように、前記本体部分の前記平坦な端面が一体に組み付けられるときに前記本体部分を互いに着脱式に固定する手段であって、前記環状本体は、前記中央開口部を貫通しかつ前記環状本体の軸方向に変位した対向端の間に延在する長手中心軸も有し、前記本体部分を互いに着脱式に固定する前記手段は、
（イ）中空軸筒であって、前記第１及び第２の構成要素の前記本体部分が一体に組み付けられて前記環状本体になるとき、前記軸筒が、前記環状本体の前記長手中心軸に実質的に平行に延在しかつ前記平坦な端面によって形成された共通平面内に実質的に位置する対向する側部軸線に沿って、対として相互に軸方向に整列するように、前記本体部分のそれぞれの前記対向端に装着されかつ一部が前記本体部分の前記平坦な端面を越えて張り出す中空軸筒と、
（ロ）前記第１及び第２の構成要素の前記組み付けられた本体部分を互いに釈放自在に固定して前記環状本体になるように、前記整列した中空軸筒の対の一方に前記対向する側部軸線の前記一方に沿ってそれぞれに挿通される１対の複数のピンとを有する、前記着脱式の固定手段と、
（ｃ）前記内部貯槽と流れ連通状態で連結されかつポンプから延びる石鹸管路に装着されるようになっている、前記第１の構成要素の前記本体部分の外周側部上の継手と、
（ｄ）前記本体部分が互いに固定されるとき、前記内部貯槽から前記中央開口部まで流れ連通させるように前記本体部分を貫通して画成されて前記内部貯槽から前記中央開口部に達する手段と、
（ｅ）前記環状本体の前記長手軸回りに同心のねじ山付き円筒形ニップルであって、前記円筒形ニップルと前記環状本体の前記中央開口部とに電線を垂直に引き通す間に前記電線に石鹸を塗布し易くする部材をその上に装着するために、前記第１及び第２の構成要素の前記組み付けられた本体部分によって形成された前記環状本体の前記軸方向に変位した端部の一方によって形成されたねじ山付き円筒形ニップルと、
を具備する自動電線潤滑装置。
【請求項２】
前記装置は、前記環状本体の前記長手中心軸回りに同心であり、前記電線を引き通すべき雄ねじ山付き電線管のねじ山付き端部回りに取り付くように、前記第１及び第２の構成要素の前記組み付けられた本体部分によって形成された前記環状本体の前記軸方向に変位した端部の他方によって形成される雌ねじ山付き円筒形のクランプ用フランジをさらに含む、請求項１に記載の装置。
【請求項３】
前記装置は、前記本体部分の前記平坦な端面が一体に組み付けられるときに前記本体部分によって形成された前記内部貯槽の半部分の対向端の間を連通させ、そのために前記第１及び第２の構成要素が互いに固定されるときに前記内部貯槽の前記半部分の緊密封止体を形成するように、前記第１及び第２の構成要素の前記本体部分の少なくとも一方の前記対向端の前記平坦な端面に取り付けられる中空の継手ピンをさらに含む、請求項１に記載の装置。
【請求項４】
前記内部貯槽、流れ連通実現手段及び中空継手ピンは、石鹸が前記第１及び第２の構成要素の前記本体部分によって形成された前記環状本体を巡る前記内部貯槽を通って３６０度移動できるように配置される、請求項１に記載の装置。
【請求項５】
前記流れ連通実現手段は周方向に離間した複数の内部分注穴であり、前記内部分注穴を介して、前記環状本体の前記中央開口部に引き通されている前記電線上に噴出が可能になる、請求項４に記載の装置。
【請求項６】
前記ピンは、前記第１及び第２の構成要素の前記組み付けられた本体部分を互いに釈放自在に固定するために、前記整列した軸筒の対に前記それぞれの平行な側部軸線に沿って同じ一方の方向に挿通される、請求項１に記載の装置。
【請求項７】
前記継手は、
前記第１の構成要素の前記本体部分の外周側部上に装着されかつ前記内部貯槽と流れ連通しているパイプ取付け具と、
ポンプから延びる石鹸管路に装着可能であるように前記パイプ取付け具に嵌入する簡易連結部材とを含む、請求項１に記載の装置。
【請求項８】
（ａ）１対の複数の対向端と前記対向端のそれぞれの平坦な端面とを有する半円筒形構成の本体部分をそれぞれに含み、前記本体部分は、その前記平坦な端面が一体に組み付けられるとき、前記本体部分によって形成される連続的な円筒形内部貯槽の一部をそれぞれに画成する第１及び第２の構成要素と、
（ｂ）前記第１及び第２の構成要素の前記本体部分を着脱式に固定して、円筒形構成を有しかつ電線を引き通すべき中央開口部を画成する環状本体になるように、前記本体部分の前記平坦な端面が一体に組み付けられるときに前記本体部分を互いに着脱式に固定する手段であって、前記環状本体は、前記中央開口部を貫通しかつ前記環状本体の軸方向に変位した対向端の間に延在する長手中心軸も有し、前記本体部分を互いに着脱式に固定する前記手段は、
（イ）中空軸筒であって、前記第１及び第２の構成要素の前記本体部分が一体に組み付けられて前記環状本体になるとき、前記本体部分の前記対向端のそれぞれの端部における前記軸筒が、前記環状本体の前記長手中心軸に実質的に平行に延在しかつ前記平坦な端面によって形成された共通平面内に実質的に位置する対向する側部軸線に沿って、対として相互に軸方向に整列するように、前記本体部分のそれぞれの前記対向端に相互に食い違い関係で装着され、かつ前記環状本体中の前記連続的な円筒形内部貯槽に関して反対の方向へ実質的に等距離に延在して一部が前記本体部分の前記平坦な端面を越えて張り出す中空軸筒と、
（ロ）前記組み付けられた本体部分を互いに釈放自在に固定して前記環状本体になるように、また前記環状本体の前記組み付けられた本体部分を相互から分解するために、前記軸方向に整列した中空軸筒の対の一方に前記対向する側部軸線の一方に沿ってそれぞれに挿通され、またそれから引抜き可能な１対の複数のピンとを有する、前記着脱式の固定手段と、
（ｃ）前記内部貯槽と流れ連通状態で連結されかつポンプから延びる石鹸管路に装着されるようになっている、前記第１の構成要素の前記本体部分の外周側部上の継手と、
（ｄ）前記本体部分が互いに固定されるとき、前記内部貯槽から前記中央開口部まで流れ連通させるように前記本体部分を貫通して画成されて前記内部貯槽から前記中央開口部に達する手段と、
（ｅ）前記第１及び第２の構成要素が互いに固定されるとき、前記内部貯槽の半部分の緊密な封止体を形成しかつそれらの間を連通させるように結合するために、前記第１及び第２の構成要素の前記本体部分の前記平坦な端面にかつ前記本体部分によって形成された前記内部貯槽の前記半部分の対向端に形成された手段と、
を含む自動電線潤滑装置。
【請求項９】
前記装置は、前記環状本体の長手中心軸回りに同心であり、前記電線を引き通すべき雄ねじ山付き電線管のねじ山付き端部回りに取り付くように、前記第１及び第２の構成要素の前記組み付けられた本体部分によって形成された前記環状本体の前記軸方向に変位した端部の他方によって形成される雌ねじ山付き円筒形のクランプ用フランジをさらに含む、請求項８に記載の装置。
【請求項１０】
前記内部貯槽、前記流れ連通実現手段及び前記結合手段は、石鹸が前記第１及び第２の構成要素の前記本体部分によって形成された前記環状本体を巡る前記内部貯槽を通って３６０度移動できるように配置される、請求項８に記載の装置。
【請求項１１】
前記流れ連通実現手段は周方向に離間した複数の内部分注穴であり、前記内部分注穴を介して、前記環状本体の前記中央開口部に引き通されている前記電線上に噴出が可能になる、請求項８に記載の装置。
【請求項１２】
前記ピンは、前記第１及び第２の構成要素の前記組み付けられた本体部分を互いに釈放自在に固定するために、前記整列した中空軸筒の対の一方に前記それぞれの平行な側部軸線に沿って同じ一方の方向に挿通され、それに対応して、前記ピンは、前記組み付けられた本体部分を相互から分解するために、前記整列した中空軸筒の対から前記それぞれの平行な側部軸線に沿って、前記同じ一方の方向の逆である同じ他方の方向に引抜き可能である、請求項８に記載の装置。
【請求項１３】
前記継手は、
前記第１の構成要素の前記本体部分の外周側部上に装着されかつ前記内部貯槽と流れ連通しているパイプ取付け具と、
ポンプから延びる石鹸管路に装着可能であるように前記パイプ取付け具に嵌入する簡易連結部材とを含む、請求項８に記載の装置。
【請求項１４】
（ａ）１対の複数の対向端と前記対向端のそれぞれの平坦な端面とを有する半円筒形構成の本体部分をそれぞれに含み、前記本体部分は、その前記平坦な端面が一体に組み付けられるとき、前記本体部分によって形成される連続的な円筒形内部貯槽の片半分をそれぞれに画成する第１及び第２の構成要素と、
（ｂ）前記第１及び第２の構成要素の前記本体部分を釈放自在に固定して、円筒形構成を有しかつ中央開口部を画成する環状本体になるように、前記本体部分の前記平坦な端面が一体に組み付けられるときに前記本体部分を互いに着脱式に固定する手段であって、前記環状本体は、前記中央開口部を貫通しかつ前記環状本体の軸方向に変位した対向端の間に延在する長手中心軸も有し、前記本体部分を互いに着脱式に固定する前記手段は、
（イ）中空軸筒であって、前記第１及び第２の構成要素の前記本体部分が一体に組み付けられて環状本体になるとき、前記本体部分の前記対向端のそれぞれの端部における前記軸筒が、前記環状本体の前記長手中心軸に実質的に平行に延在しかつ前記平坦な端面によって形成された共通平面内に実質的に位置する対向する側部軸線に沿って、対として相互に軸方向に整列するように、前記本体部分のそれぞれの前記対向端に相互に食い違い関係で装着されかつ前記環状本体中の前記連続的な円筒形内部貯槽に関して反対の方向へ実質的に等距離に延在して一部が前記本体部分の前記平坦な端面を越えて張り出す中空軸筒と、
（ロ）前記組み付けられた本体部分を互いに釈放自在に固定して前記環状本体になるように、また前記環状本体の前記組み付けられた本体部分を相互から分解するために、前記軸方向に整列した中空軸筒の対の一方に前記対向する側部軸線の一方に沿ってそれぞれに挿通され、またそれから引抜き可能な１対の複数のピンであって、前記ピンは、前記第１及び第２の構成要素の前記組み付けられた本体部分を互いに釈放自在に固定して環状本体になるように、前記整列した中空軸筒の対に前記それぞれの平行な側部軸線に沿って同じ一方の方向に挿通され、それに対応して、前記ピンは、前記本体部分を相互から分解するために、前記整列した中空軸筒の対から前記それぞれの平行な側部軸線に沿って、前記同じ一方の方向の逆である同じ他方の方向に引抜き可能である、１対の複数のピンとを含む、前記着脱式の固定手段と、
（ｃ）ポンプから延びる石鹸管路に結合可能であるように前記内部貯槽と流れ連通する、前記第１の構成要素の前記本体部分の外周側部上に装着されたパイプ取付け具と、
（ｄ）前記内部貯槽と、前記第１及び第２の構成要素の前記本体部分が互いに固定されるときに後者によって画成された前記環状本体を貫通して形成された前記中央開口部との間を流れ連通させる、前記本体部分の内壁部分を貫通して画成された周方向に離間した分注穴と、
（ｅ）雄ねじ山付き円筒形ニップルであって、前記円筒形ニップルと前記環状本体の前記中央開口部とに電線を垂直に引き通す間に前記電線に石鹸を塗布し易くする部材をその上に装着するために、前記第１及び第２の構成要素の前記組み付けられた本体部分によって形成された前記環状本体の前記軸方向に変位した端部の一方によって形成された雄ねじ山付き円筒形ニップルと、
（ｆ）前記電線を引き通すべき雄ねじ山付き電線管のねじ山付き端部回りに取り付くために、前記第１及び第２の構成要素の前記組み付けられた本体部分によって形成された前記環状本体の前記軸方向に変位した端部の他方によって形成された雌ねじ山付き円筒形のクランプ用フランジと、
（ｇ）前記第１及び第２の構成要素の前記本体部分の少なくとも一方の前記平坦な端面に取り付けられ、前記第１及び第２の構成要素が互いに固定されるとき、前記本体部分の前記平坦な端面において前記内部貯槽の緊密な封止体を形成するようにＯ−リングが環装されている中空の継手ピンと、
を含む自動電線潤滑装置。
【請求項１５】
撚線が導管に引き通されるときに前記撚線に潤滑剤を塗布するため潤滑器であって、套管の対応する結合構造と嵌合する結合構造を具備する潤滑器を含む装置。
【請求項１６】
前記撚線は絶縁された電線又は同様物を含む、請求項１５に記載の装置。
【請求項１７】
前記潤滑器の前記結合構造はねじ山を含む、請求項１５に記載の装置。
【請求項１８】
前記ねじ山は雄ねじ山を含む、請求項１５に記載の装置。
【請求項１９】
前記潤滑器は前記導管の対応する結合構造と嵌合するように構成された第２の結合構造も含む、請求項１５に記載の装置。
【請求項２０】
前記潤滑器の前記第２の結合構造はねじ山を含む、請求項１９に記載の装置。
【請求項２１】
前記ねじ山は雌ねじ山を含む、請求項１９に記載の装置。
【請求項２２】
前記潤滑器の本体は２つの連結可能な構成要素から形成される、請求項１５に記載の装置。
【請求項２３】
撚線が導管に引き通されるときに前記撚線に潤滑剤を塗布するための潤滑器であって、
套管の対応する雌ねじ山と嵌合する雄ねじ山と、
前記導管の対応する雄ねじ山と嵌合する雌ねじ山とを具備する潤滑器を含む装置。
【請求項２４】
撚線が導管に引き通されるときに前記撚線に潤滑剤を塗布するための潤滑器であって、前記潤滑器を形成するために相互に結合可能である２つの本体部分を含み、前記本体部分のそれぞれが、軸筒であって、前記本体を形成するために前記２つの本体部分が連結されるときに前記２つの本体部分の前記軸筒が整列している軸筒と、前記本体を一体に保持するために前記軸筒の中に滑入するピンとを具備する潤滑器を含む装置。
【請求項２５】
前記潤滑器は前記撚線の長さに沿って位置合わせされる軸を含み、前記ピンは前記潤滑器軸に平行である軸を含む、請求項２４に記載の装置。
【請求項２６】
前記本体のそれぞれは第２の軸筒を含み、前記２つの本体部分の前記第２の軸筒は前記本体を形成するために前記２つの本体部分が連結されるときに整列し、第２のピンが同様に本体部分を一体に保持するために前記第２の軸筒の中に滑入する、請求項２４に記載の装置。
【請求項２７】
前記潤滑器は、前記撚線の長さに沿って位置合わせされる軸を含み、前記第２のピンは前記潤滑器軸に平行である軸を含む、請求項２６に記載の装置。
【請求項２８】
前記撚線は絶縁された電線又は同様物を含む、請求項２４に記載の装置。
【請求項２９】
潤滑器であって、前記潤滑器のそれぞれは撚線が導管に引き通されるときに前記撚線を潤滑し、異なるサイズの導管で使用するためにそれぞれにサイズ決めされる潤滑器を含む装置。
【請求項３０】
前記潤滑器のそれぞれは、前記導管の結合構造と嵌合するための結合構造を具備する、請求項２９に記載の装置。
【請求項３１】
前記結合構造は雌ねじ山を含む、請求項３０に記載の装置。
【請求項３２】
套管の結合構造と嵌合するために、同様に結合構造を具備する、請求項２９に記載の装置。
【請求項３３】
前記結合構造は雄ねじ山を含む、請求項３２に記載の装置。
【請求項３４】
撚線が導管に引き通されるとき前記撚線に潤滑剤を塗布し、前記導管の対応するねじ山と嵌合するねじ山を具備する潤滑器を含む装置。
【請求項３５】
前記撚線は絶縁された電線又は同様物を含む、請求項３４に記載の装置。
【請求項３６】
（ａ）それぞれが対向端と前記対向端のそれぞれの端面とを有する２つの本体部分であって、前記本体部分のそれぞれは、前記端面が一体に組み付けられるときに前記本体部分によって形成される内部貯槽の一部を画成する２つの本体部分と、
（ｂ）長手中心軸を有する環状本体を形成するために前記本体部分の前記端面を互いに釈放自在に固定するための固定具であって、前記固定具は、
（イ）前記本体部分のそれぞれの前記対向端に装着され、前記本体部分が組み付けられて前記環状本体になるとき、前記長手中心軸に実質的に平行に延在しかつ前記端面によって形成された共通平面内に実質的に位置する対向する側部軸線に沿って、対として相互に軸方向に整列する軸筒と、
（ロ）前記組み付けられた本体部分を互いに釈放自在に固定するために、前記整列した軸筒の対の一方に前記対向する側部軸線の前記一方に沿ってそれぞれに挿通される１対のピンとを備える、前記固定具と、
（ｃ）前記本体部分が互いに固定されるとき、前記内部貯槽から前記中央開口部まで流れ連通させるための通路と、
（ｄ）ねじ山であって、前記ニップルと前記環状本体の前記中央開口部とに引き通されている電線に潤滑剤を塗布し易くする部材を装着するために、前記軸方向に変位した端部の一方に、前記組み付けられた本体部分によって形成されたねじ山と、
を含む自動電線潤滑装置。
【請求項３７】
（ａ）それぞれが対向端と前記対向端のそれぞれの端面とを有する２つの本体部分であって、前記本体部分のそれぞれは、前記端面が一体に組み付けられるときに前記本体部分によって形成される内部貯槽の一部を画成する２つの本体部分と、
（ｂ）長手中心軸を有する前記環状本体を形成するために前記本体部分の前記端面を互いに釈放自在に固定するための固定具であって、前記固定具は、
（イ）軸筒であって、前記本体部分のそれぞれの前記対向端に相互に食い違い関係で装着されかつ前記内部貯槽に関して反対の方向に実質的に等距離に延在し、前記本体部分が一体に組み付けられて前記環状本体になるとき、前記本体部分の前記対向端のそれぞれの端部における前記軸筒は、前記長手中心軸に実質的に平行に延在しかつ前記端面によって形成された共通平面内に実質的に位置する対向する側部軸線に沿って、対として相互に軸方向に整列している軸筒と、
（ロ）前記組み付けられた本体部分を互いに釈放自在に固定するために、前記整列した軸筒の対の一方に前記対向する側部軸線の前記一方に沿ってそれぞれに挿通される１対の複数のピンとを備える、前記固定具と、
（ｃ）前記本体部分が互いに固定されるとき、前記内部貯槽から前記中央開口部まで流れ連通させるための通路と、
（ｄ）前記第１及び第２の構成要素が互いに固定されるとき、前記内部貯槽の半部分の緊密封止体を形成しかつそれらの間を連通させるために、前記端面と前記内部貯槽の前記半部分の前記対向端とに配置された封止体と、
を含む自動電線潤滑装置。
【請求項３８】
（ａ）それぞれが対向端と前記対向端のそれぞれの端面とを有する２つの本体部分であって、前記本体部分のそれぞれは、前記端面が一体に組み付けられるときに前記本体部分によって形成される内部貯槽の一部を画成する２つの本体部分と、
（ｂ）長手中心軸を有する前記環状本体を形成するために前記本体部分の前記端面を互いに着脱式に固定するための固定具であって、前記着脱式の固定具は、
（イ）軸筒であって、前記第１及び第２の構成要素の前記本体部分が一体に組み付けられて前記環状本体になるとき、前記本体部分の前記対向端のそれぞれの端部における前記軸筒が、前記環状本体の前記長手中心軸に実質的に平行に延在しかつ前記平坦な端面によって形成された共通平面内に実質的に位置する対向する側部軸線に沿って、対として相互に軸方向に整列するように、前記本体部分のそれぞれの前記対向端に相互に食い違い関係で装着され、かつ前記連続的な円筒形内部貯槽に関して反対の方向へ実質的に等距離に延在して一部が本体部分の平坦な端面を越えて張り出す軸筒と、
（ロ）前記組み付けられた本体部分を互いに釈放自在に固定して前記環状本体になるように、また前記環状本体の前記組み付けられた本体部分を相互から分解するために、前記軸方向に整列した中空軸筒の対の一方に前記対向する側部軸線の一方に沿ってそれぞれに挿通され、またそれから引抜き可能な１対の複数のピンであって、前記ピンは、前記組み付けられた本体部分を互いに釈放自在に固定して前記環状本体になるように、前記整列した中空軸筒の対に前記それぞれの平行な側部軸線に沿って同じ一方の方向に挿通され、それに対応して、前記ピンは、前記本体部分を相互から分解するために、前記整列した中空軸筒の対からそれぞれの平行な側部軸線に沿って、前記同じ一方の方向の逆である同じ他方の方向に引抜き可能である１対の複数のピンとを具備する、前記着脱式の固定具と、
（ｃ）前記内部貯槽と前記中央開口部との間を流れ連通させる、前記本体部分の内壁部分を貫通して画成された周方向に離間した分注穴と、
（ｄ）ねじ山であって、前記ニップルと前記環状本体の前記中央開口部とに引き通されている電線に潤滑剤を塗布し易くする部材を装着するために前記軸方向に変位した端部の一方に、前記組み付けられた本体によって形成されたねじ山と、
（ｅ）前記電線を引き通すべき電線管のねじ山付き端部に取り付くように、前記環状本体の前記軸方向に変位した端部の他方によって形成されたねじ山と、
（ｇ）前記第１及び第２の構成要素が互いに固定されるとき、前記本体部分の前記平坦な端面において前記内部貯槽の緊密な封止体を形成するように、前記平坦な端面に取り付けられてＯ−リングが環装されている中空の継手ピンと、
を含む自動電線潤滑装置。
【発明の詳細な説明】
【技術分野】
【０００１】
本発明は一般に、絶縁された電線又は同様物を電線管に引き通している間に、その電線の外表面に潤滑剤を塗布する装置に関し、さらに詳細には自動電線潤滑装置に関する。
【背景技術】
【０００２】
絶縁された電線を電線管に引き通すことをより容易にするために、石鹸などの適切な潤滑剤によって最初に電線を潤滑することは一般に広く行われていることである。
【０００３】
このような作業を遂行する通常のやり方は、手作業で行うものである。現在は、電気技師がその手の中に液体石鹸を掬い、それを電線に擦り付ける。
【０００４】
このようなやり方に関わる問題は、それが一連の汚れ作業であり、かつ実行するのに厄介な仕事であることである。液体石鹸を手で塗り付けるとき、電線が電線管に送り込まれている周囲の広範囲な領域内に石鹸が飛散する嫌いがある。また、液体石鹸は手を滑りやすくし、それが次には、電線を巻枠から引っ張り出し、それを電線管の中に送り込むことを困難にする。その結果として、それには、１人が石鹸を電線に塗り、石鹸を扱わない別の人が潤滑済みの電線を電線管に引き通すことがしばしば必要である。従って、これらの一般に広く行われている作業には、この仕事を適切に行うために追加的な人力が必要である。
【０００５】
長年に亘って、電線を潤滑する際に使用するための様々な装置が提案されてきた。このような装置の代表的な実施例が、ヘラー（Ｈｅｌｌｅｒ）への米国特許第３５６５２１３号、モルスタッド（Ｍｏｌｓｔａｄ）への米国特許第３７８３９７２号、シェンク（Ｓｈｅｎｋ）への米国特許第４０４６２２５号及び同第４０６３６１７号、ブラック（Ｂｌａｃｋ）への米国特許第４０６９８９４号、コンティ（Ｃｏｎｔｉ）への米国特許第４３２６６０５号、ヨハンセン（Ｊｏｈａｎｓｅｎ）への米国特許第４４２２５２９号、ジョンズ（Ｊｏｎｎｅｓ）らへの米国特許第４７４９０５９号、バックルー（Ｂｕｃｋｅｌｅｗ）への米国特許第５０２２４９３号、並びにセルズ（Ｓｅｌｌｓ）への米国特許第５６３２３５６号に開示されている。モルスタッド（Ｍｏｌｓｔａｄ）特許及びコンティ（Ｃｏｎｔｉ）特許の従来技術の装置は、電線潤滑装置を提供するための正しい方向に踏み出しているように見えるが、どちらも手作業問題に対する最適の解決策を提供するものではないように思われる。
【０００６】
従って、上述の従来技術における問題に対して、それに代わる新たな問題を少しも導入することなく、解決策を提供する電線潤滑装置を求める要望が依然として存在する。
【特許文献１】米国特許第３７８３９７２号明細書
【特許文献２】米国特許第４３２６６０５号明細書
【発明の開示】
【課題を解決するための手段】
【０００７】
本発明は、上述の要望を満足させるように設計された自動電線潤滑装置を提供するものである。本自動電線潤滑装置は、液体石鹸が最初に電気技師の手に接触することなく、液体石鹸を電線上に自動的にかつ均一に塗布できる機械装置である。電線を電線管に引き通す電気、データ、通信及び保守に関する人員のすべてによって本装置が使用されると、電線をより円滑に引っ張れるようになり、かつ電線を損傷する恐れを低下させることになる。このような機械装置を使用すると、人力要件も軽減され、従って洗浄時間、材料費、及び電線を損傷する危険性の大幅な減少によって人件費を削減する。
【０００８】
一般に、一態様では、本発明は、（ａ）１対の複数の対向端とこれらの対向端のそれぞれの平坦な端面とを有する半円筒形構成の本体部分をそれぞれに含み、これらの本体部分は、その平坦な端面が一体に組み付けられるとき、本体部分によって形成される連続的な円筒形内部貯槽の一部をそれぞれに画成する第１及び第２の構成要素と、（ｂ）第１及び第２の構成要素の本体部分を釈放自在に固定して、円筒形構成を有しかつ中央開口部を画成する環状本体になるように、本体部分の平坦な端面が一体に組み付けられるときに本体部分を互いに着脱式に固定する手段であって、この環状本体は、中央開口部を貫通しかつ環状本体の軸方向に変位した対向端の間に延在する長手中心軸も有し、これらの本体部分を互いに着脱式に固定する手段は、（イ）中空軸筒であって、第１及び第２の構成要素の本体部分が一体に組み付けられて環状本体になるとき、これらの軸筒が、環状本体の長手中心軸に実質的に平行に延在しかつ平坦な端面によって形成された共通平面内に実質的に位置する対向する側部軸線に沿って、対として相互に軸方向に整列するように、本体部分のそれぞれの対向端に装着されかつ一部が本体部分の平坦な端面を越えて張り出す中空軸筒と、（ロ）第１及び第２の構成要素の組み付けられた本体部分を互いに釈放自在に固定して環状本体になるように、整列した中空軸筒の対の一方に対向する側部軸線の一方に沿ってそれぞれに挿通される１対の複数のピンとを有する、前記着脱式の固定手段と、（ｃ）内部貯槽と流れ連通状態で連結されかつポンプから延びる石鹸管路に装着されるようになっている、第１の構成要素の本体部分の外周側部の継手と、（ｄ）本体部分が互いに固定されるとき、内部貯槽から中央開口部まで流れ連通させるように本体部分を貫通して画成されて内部貯槽から中央開口部に達する手段と、（ｅ）環状本体の長手軸回りに同心のねじ山付き円筒形ニップルであって、この円筒形ニップルと環状本体の中央開口部とに電線を垂直に引き通す間に電線に石鹸を塗布し易くする部材をその上に装着するために、第１及び第２の構成要素の組み付けられた本体部分によって形成された環状本体の軸方向に変位した端部の一方によって形成されたねじ山付き円筒形ニップルとを具備する自動電線潤滑装置を特徴とする。
【０００９】
本発明の実施態様は、次の特徴の１つ又は複数を含み得る。環状本体の長手中心軸回りに同心の雌ねじ山付き円筒形のクランプ用フランジが、電線を引き通すべき雄ねじ山付き電線管のねじ山付き端部回りに取り付くように、第１及び第２の構成要素の組み付けられた本体部分によって形成された環状本体の軸方向に変位した端部の他方によって形成される。中空の継手ピンが、本体部分の平坦な端面が一体に組み付けられるときに本体部分によって形成された内部貯槽の半部分の対向端の間を連通させ、そのために第１及び第２の構成要素が互いに固定されるときに内部貯槽の半部分の緊密封止体を形成するように、第１及び第２の構成要素の本体部分の少なくとも一方の対向端の平坦な端面に取り付けられる。内部貯槽、流れ連通実現手段、及び中空継手ピンは、石鹸が第１及び第２の構成要素の本体部分によって形成された環状本体を巡る内部貯槽を通って３６０度移動できるように配置される。流れ連通実現手段は周方向に離間した複数の内部分注穴であり、この内部分注穴を介して、環状本体の中央開口部に引き通されている電線上に噴出が可能になる。ピンは、第１及び第２の構成要素の組み付けられた本体部分を互いに釈放自在に固定するために、整列した軸筒の対にそれぞれの平行な側部軸線に沿って同じ一方の方向に挿通される。継手は、第１の構成要素の本体部分の外周側部上に装着されかつ内部貯槽と流れ連通しているパイプ取付け具と、ポンプから延びる石鹸管路に装着可能であるようにパイプ取付け具に嵌入する簡易連結部材とを含む。
【００１０】
一般に、別の態様では、本発明は、（ａ）１対の複数の対向端とこれらの対向端のそれぞれの平坦な端面とを有する半円筒形構成の本体部分をそれぞれに含み、これらの本体部分は、その平坦な端面が一体に組み付けられるとき、本体部分によって形成される連続的な円筒形内部貯槽の一部をそれぞれに画成する第１及び第２の構成要素と、（ｂ）第１及び第２の構成要素の本体部分を釈放自在に固定し、本体部分の平坦な端面が一体に組み付けられるときに円筒形構成を有しかつ電線を引き通すべき中央開口部を画成する環状本体になるように、本体部分を互いに着脱式に固定する手段であって、この環状本体は、中央開口部を貫通しかつ環状本体の軸方向に変位した対向端の間に延在する長手中心軸も有し、これらの本体部分を互いに着脱式に固定する手段は、（イ）中空軸筒であって、第１及び第２の構成要素の本体部分が一体に組み付けられて環状本体になるとき、本体部分の対向端のそれぞれの端部における軸筒が、環状本体の長手中心軸に実質的に平行に延在しかつ平坦な端面によって形成された共通平面内に実質的に位置する対向する側部軸線に沿って、対として相互に軸方向に整列するように、本体部分のそれぞれの対向端に相互に食い違い関係で装着され、かつ環状本体中の連続的な円筒形内部貯槽に関して反対の方向へ実質的に等距離に延在して一部が本体部分の平坦な端面を越えて張り出す中空軸筒と、（ロ）組み付けられた本体部分を互いに釈放自在に固定して環状本体になるように、また環状本体の組み付けられた本体部分を相互から分解するために、対向する側部軸線の一方に沿って、軸方向に整列した中空軸筒の対の一方にそれぞれに挿通され、またそれから引抜き可能な１対の複数のピンとを有する、前記着脱式の固定手段と、（ｃ）内部貯槽と流れ連通状態で連結されかつポンプから延びる石鹸管路に装着されるようになっている、第１の構成要素の本体部分の外周側部の継手と、（ｄ）本体部分が互いに固定されるとき、内部貯槽から中央開口部まで流れ連通させるように本体部分を貫通して画成されて内部貯槽から中央開口部に達する手段と、（ｅ）第１及び第２の構成要素が互いに固定されるとき、内部貯槽の半部分の緊密な封止体を形成しかつそれらの間を連通させるように結合するために、第１及び第２の構成要素の本体部分の平坦な端面にかつ本体部分によって形成された内部貯槽の半部分の対向端に形成された手段とを含む自動電線潤滑装置を特徴とする。
【００１１】
本発明の実施態様は、次の特徴の１つ又は複数を含み得る。環状本体の長手中心軸回りに同心の雌ねじ山付き円筒形のクランプ用フランジが、電線を引き通すべき雄ねじ山付き電線管のねじ山付き端部回りに取り付くように、第１及び第２の構成要素の組み付けられた本体部分によって形成された環状本体の軸方向に変位した端部の他方によって形成される。内部貯槽、流れ連通実現手段、及び結合手段は、石鹸が第１及び第２の構成要素の本体部分によって形成された環状本体を巡る内部貯槽を通って度移動できるように配置される。流れ連通実現手段は周方向に離間した複数の内部分注穴であり、この内部分注穴を介して、環状本体の中央開口部に引き通されている電線上に噴出が可能になる。ピンは、第１及び第２の構成要素の組み付けられた本体部分を互いに釈放自在に固定するために、整列した中空軸筒の対の一方にそれぞれの平行な側部軸線に沿って同じ一方の方向に挿通され、それに対応して、これらのピンは、組み付けられた本体部分を相互から分解するために、整列した中空軸筒の対からそれぞれの平行な側部軸線に沿って、その同じ一方の方向の逆である同じ他方の方向に引抜き可能である。継手は、第１の構成要素の本体部分の外周側部上に装着されかつ内部貯槽と流れ連通しているパイプ取付け具と、ポンプから延びる石鹸管路に装着可能であるようにパイプ取付け具に嵌入する簡易連結部材とを含む。
【００１２】
一般に、別の態様では、本発明は、（ａ）１対の複数の対向端とこれらの対向端のそれぞれの平坦な端面とを有する半円筒形構成の本体部分をそれぞれに含み、これらの本体部分は、それらの平坦な端面が一体に組み付けられるとき、本体部分によって形成される連続的な円筒形内部貯槽の片半分をそれぞれに画成する第１及び第２の構成要素と、（ｂ）第１及び第２の構成要素の本体部分を釈放自在に固定し、本体部分の平坦な端面が一体に組み付けられるときに円筒形構成を有しかつ中央開口部を画成する環状本体になるように、本体部分を互いに着脱式に固定する手段であって、この環状本体は、中央開口部を貫通しかつ環状本体の軸方向に変位した対向端の間に延在する長手中心軸も有し、これらの本体部分を互いに着脱式に固定する手段は、（イ）中空軸筒であって、第１及び第２の構成要素の本体部分が一体に組み付けられて環状本体になるとき、本体部分の対向端のそれぞれの端部における軸筒が、環状本体の長手中心軸に実質的に平行に延在しかつ平坦な端面によって形成された共通平面内に実質的に位置する対向する側部軸線に沿って、対として相互に軸方向に整列するように、本体部分のそれぞれの対向端に相互に食い違い関係で装着されかつ環状本体中の連続的な円筒形内部貯槽に関して反対の方向へ実質的に等距離に延在して一部が本体部分の平坦な端面を越えて張り出す中空軸筒と、（ロ）組み付けられた本体部分を互いに釈放自在に固定して環状本体になるように、また環状本体の組み付けられた本体部分を相互から分解するために、対向する側部軸線の一方に沿って、軸方向に整列した中空軸筒の対の一方にそれぞれに挿通され、またそれから引抜き可能な１対の複数のピンであって、これらのピンは、第１及び第２の構成要素の組み付けられた本体部分を互いに釈放自在に固定して環状本体になるように、整列した中空軸筒の対に、それぞれの平行な側部軸線に沿って同じ一方の方向に挿通され、それに対応して、これらのピンは、本体部分を相互から分解するために、整列した中空軸筒の対からそれぞれの平行な側部軸線に沿って、一方の方向とは逆である他方の方向に引抜き可能である、１対の複数のピンとを含む、前記着脱式の固定手段と、（ｃ）ポンプから延びる石鹸管路に結合可能であるように内部貯槽と流れ連通する、第１の構成要素の本体部分の外周側部に装着されたパイプ取付け具と、（ｄ）内部貯槽、及び第１及び第２の構成要素の本体部分が互いに固定されるときに後者によって画成された環状本体を貫通して形成された中央開口部の間を流れ連通させる、本体部分の内壁部分を貫通して画成された周方向に離間した分注穴と、（ｅ）雄ねじ山付き円筒形ニップルであって、この円筒形ニップルと環状本体の中央開口部とに電線を垂直に引き通す間に電線に石鹸を塗布し易くする部材をその上に装着するために、第１及び第２の構成要素の組み付けられた本体部分によって形成された環状本体の軸方向に変位した端部の一方によって形成された雄ねじ山付き円筒形ニップルと、（ｆ）電線を引き通すべき雄ねじ山付き電線管のねじ山付き端部回りに取り付くために、第１及び第２の構成要素の組み付けられた本体部分によって形成された環状本体の軸方向に変位した端部の他方によって形成された雌ねじ山付き円筒形のクランプ用フランジと、（ｇ）第１及び第２の構成要素の本体部分の少なくとも一方の平坦な端面に取り付けられ、第１及び第２の構成要素が互いに固定されるとき、本体部分の平坦な端面において内部貯槽の緊密な封止体を形成するようにＯ−リングが環装されている中空の継手ピンと、を含む自動電線潤滑装置を特徴とする。
【００１３】
一般に、別の態様では、本発明は、撚線が導管に引き通されるときに撚線に潤滑剤を塗布するため潤滑器であって、套管の対応する結合構造と嵌合する結合構造を具備する潤滑器を含む装置を特徴とする。
【００１４】
本発明の実施態様は、次の１つ又は複数の特徴を含み得る。撚線は絶縁された電線又は同様物を含む。潤滑器の結合構造はねじ山を含む。このねじ山は雄ねじ山を含む。潤滑器は導管の対応する結合構造と嵌合するように構成された第２の結合構造も含む。潤滑器の第２の結合構造はねじ山を含む。このねじ山は雌ねじ山を含む。潤滑器の本体は２つの連結可能な構成要素から形成される。
【００１５】
一般に、別の態様では、本発明は、撚線が導管に引き通されるときに撚線に潤滑剤を塗布するための潤滑器であって、套管の対応する雌ねじ山と嵌合する雄ねじ山と、導管の対応する雄ねじ山と嵌合する雌ねじ山とを具備する潤滑器を含む装置を特徴とする。
【００１６】
一般に、別の態様では、本発明は、撚線が導管に引き通されるときに撚線に潤滑剤を塗布するための潤滑器であって、この潤滑器を形成するために相互に結合可能である２つの本体部分を含み、この本体部分のそれぞれが、軸筒であって、本体を形成するために２つの本体部分が連結されるときに２つの本体部分の軸筒が整列している軸筒と、本体を一体に保持するために軸筒の中に滑入するピンとを具備する潤滑器を含む装置を特徴とする。
【００１７】
本発明の実施態様は、次の１つ又は複数の特徴を含み得る。潤滑器は撚線の長さに沿って位置合わせされる軸を含み、ピンは潤滑器軸に平行である軸を含む。本体部分のそれぞれは第２の軸筒を含み、２つの本体部分の第２の軸筒は本体を形成するために２つの本体部分が連結されるときに整列し、第２のピンが同様に本体部分を一体に保持するために第２の軸筒の中に滑入する。潤滑器は、撚線の長さに沿って位置合わせされる軸を含み、第２のピンは潤滑器軸に平行である軸を含む。撚線は絶縁された電線又は同様物を含む。
【００１８】
一般に、別の態様では、本発明は、潤滑器であって、潤滑器のそれぞれは撚線が導管に引き通されるときに撚線を潤滑し、異なるサイズの導管で使用するためにそれぞれにサイズ決めされる潤滑器を含む装置を特徴とする。
【００１９】
本発明の実施態様は、次の１つ又は複数の特徴を含み得る。潤滑器のそれぞれは、導管の結合構造と嵌合するための結合構造を具備する。この結合構造は雌ねじ山を含む。套管の結合構造と嵌合するために、結合構造が具備されている。この結合構造は雄ねじ山を含む。
【００２０】
一般に、別の態様では、本発明は、撚線が導管に引き通されるとき撚線に潤滑剤を塗布し、導管の対応するねじ山と嵌合するねじ山を具備する潤滑器を含む装置を特徴とする。撚線は絶縁された電線又は同様物を含む。
【００２１】
一般に、別の態様では、本発明は、（ａ）それぞれが対向端とこれらの対向端のそれぞれの端面とを有する２つの本体部分であって、本体部分のそれぞれは、端面が一体に組み付けられるときに本体部分によって形成される内部貯槽の一部を画成する２つの本体部分と、（ｂ）長手中心軸を有する環状本体を形成するために本体部分の端面を互いに釈放自在に固定するための固定具であって、この固定具は、（イ）軸筒であって、本体部分のそれぞれの対向端に装着され、本体部分が組み付けられて環状本体になるとき、長手中心軸に実質的に平行に延在しかつ端面によって形成された共通平面内に実質的に位置する対向する側部軸線に沿って、対として相互に軸方向に整列する軸筒と、（ロ）組み付けられた本体部分を互いに釈放自在に固定するために、対向する側部軸線の一方に沿って、整列した軸筒の対の一方にそれぞれに挿通される１対のピンとを備える、前記固定具と、（ｃ）本体部分が互いに固定されるとき、内部貯槽から中央開口部まで流れ連通させるための通路と、（ｄ）ねじ山であって、このニップルと環状本体の中央開口部とに引き通されている電線に潤滑剤を塗布し易くする部材を装着するために、軸方向に変位した端部の一方に、組み付けられた本体部分によって形成されたねじ山とを含む自動電線潤滑装置を特徴とする。更に、本発明による自動電線潤滑装置は、（ａ）それぞれが対向端とこれらの対向端のそれぞれの端面とを有する２つの本体部分であって、本体部分のそれぞれは、端面が一体に組み付けられるときに本体部分によって形成される内部貯槽の一部を画成する２つの本体部分と、（ｂ）長手中心軸を有する環状本体を形成するために本体部分の端面を互いに釈放自在に固定するための固定具であって、この固定具は、（イ）軸筒であって、本体部分のそれぞれの対向端に相互に食い違い関係で装着されかつ内部貯槽に関して反対の方向に実質的に等距離に延在し、本体部分が一体に組み付けられて環状本体になるとき、本体部分の対向端部のそれぞれの端部における軸筒は、長手中心軸に実質的に平行に延在しかつ端面によって形成された共通平面内に実質的に位置する対向する側部軸線に沿って、対として相互に軸方向に整列している軸筒と、（ロ）組み付けられた本体部分を互いに釈放自在に固定するために、整列した軸筒の対の一方に、対向する側部軸線の一方に沿ってそれぞれに挿通される１対の複数のピンとを備える、前記固定具と、（ｃ）本体部分が互いに固定されるとき、内部貯槽から中央開口部まで流れ連通させるための通路と、（ｄ）第１及び第２の構成要素が互いに固定されるとき、内部貯槽の半部分の緊密封止体を形成しかつそれらの間を連通させるために、端面と内部貯槽の半部分の対向端とに配置された封止体と、を含む。
【００２２】
一般に、別の態様では、本発明は、（ａ）それぞれが対向端とこれらの対向端のそれぞれの端面とを有する２つの本体部分であって、本体部分のそれぞれは、端面が一体に組み付けられるときに本体部分によって形成される内部貯槽の一部を画成する２つの本体部分と、（ｂ）長手中心軸を有する環状本体を形成するために本体部分の端面を互いに釈放自在に固定するための固定具であって、この固定具は、（イ）軸筒であって、第１及び第２の構成要素の本体部分が一体に組み付けられて環状本体になるとき、本体部分の対向端のそれぞれの端部における軸筒が、環状本体の長手中心軸に実質的に平行に延在しかつ平坦な端面によって形成された共通平面内に実質的に位置する対向する側部軸線に沿って、対として相互に軸方向に整列するように、本体部分のそれぞれの対向端に相互に食い違い関係で装着され、かつ連続的な円筒形内部貯槽に関して反対の方向へ実質的に等距離に延在して一部が本体部分の平坦な端面を越えて張り出す軸筒と、（ロ）組み付けられた本体部分を釈放自在に互いに固定して環状本体になるように、また環状本体の組み付けられた本体部分を相互から分解するために、軸方向に整列した中空軸筒の対の一方に、対向する側部軸線の一方に沿ってそれぞれに挿通され、またそれから引抜き可能な１対の複数のピンであって、これらのピンは、組み付けられた本体部分を釈放自在に互いに固定して環状本体になるように、整列した中空軸筒の対にそれぞれの平行な側部軸線に沿って同じ一方の方向に挿通され、それに対応して、これらのピンは、本体部分を相互から分解するために、整列した中空軸筒の対からそれぞれの平行な側部軸線に沿って、その一方の方向とは逆である他方の方向に引抜き可能である１対の複数のピンとを具備する、前記着脱式の固定手段と、（ｃ）内部貯槽と中央開口部との間を流れ連通させる、本体部分の内壁部分を貫通して画成された周方向に離間した分注穴と、（ｄ）ねじ山であって、ニップルと環状本体の中央開口部とに引き通されている電線に潤滑剤を塗布し易くする部材を装着するために軸方向に変位した端部の一方に、組み付けられた本体によって形成されたねじ山と、（ｅ）電線を引き通すべき電線管のねじ山付き端部に取り付くように、環状本体の軸方向に変位した端部の他方によって形成されたねじ山と、（ｆ）第１及び第２の構成要素が互いに固定されるとき、本体部分の平坦な端面において内部貯槽の緊密な封止体を形成するように、平坦な端面に取り付けられてＯ−リングが環装されている中空の継手ピンとを含む、自動電線潤滑装置を特徴とする。
【００２３】
本発明のこれら並びに他の特徴及び利点は、本発明の例示的な実施形態を示されかつ説明する図面と合わせて検討されるとき、以下の詳細な説明を読めば当業者には明白になろう。
【００２４】
以下の詳細な説明では、添付の図面を参照する。
【発明を実施するための最良の形態】
【００２５】
図面、特に、図１から３を参照すると、全体的に参照符号１０で示した本発明の自動電線潤滑装置が組み付けた形態で例示されている。装置１０は基本的に、概ね円弧状の、さらに詳細には半円筒形構成の本体部分１６、１８をそれぞれに形成する第１及び第２の構成要素１２、１４と、図１から３の組み付けた状態で装置１０を提供するために第１及び第２の構成要素１２、１４を釈放自在に互いに固定する、それぞれの本体部分１６、１８の対向する端部１６Ａ、１６Ｂ及び１８Ａ、１８Ｂにおける着脱式の固定手段２０とを具備する。
【００２６】
同様に図４から９を参照すると、図４から６に第１の構成要素１２が単独で例示され、図７から９に第２の構成要素１４が単独で例示されている。装置１０の第１の構成要素１２は簡易かつ迅速な連結部材２２を有するが、それは、第１の構成要素１２の本体部分１６の外周側部１６Ｃに溶接などによって装着されているパイプ取付け具２４（サイズが約０．９５ｃｍ（３／８インチ）など）の中にねじ込みなどによって嵌入する。この簡易連結部材２２は、ポンプ（図示せず）から延びるソープライン即ち石鹸管路（同様に図示せず）に容易にかつ迅速に装着可能である。第１及び第２の構成要素１２、１４の本体部分１６、１８のそれぞれは、それらが互いに固定されるときに第１及び第２の構成要素１２、１４から成る本体部分１６、１８によって形成される連続的な円筒形内部貯槽２６の片半分をそれぞれに画成するが、それは第１の構成要素１２の簡易連結部材２２及びパイプ取付け具２４と流れ連通している。本体部分１６、１８も、その内壁部分１６Ｄ、１８Ｄを貫通してそれぞれに画成された分注穴又は塗布穴２８、３０を有するが、これらの穴は、内部貯槽２６と、その第１及び第２の構成要素１２、１４が互いに固定されるときに、後者によって装置１０を貫通して形成される中央開口部３２との間を流れ連通させる。
【００２７】
第１及び第２の構成要素１２、１４にはさらに、それらの本体部分１６、１８の軸方向に変位した側の一方に、雌ねじ山付きの円筒形のクランプ用フランジ３４のそれぞれの半部分が取り付き、かつそれらの角変位した各端部１６Ａ、１６Ｂ及び１８Ａ、１８Ｂに、第１及び第２の構成要素１２、１４が一体に組み付けられたときに相互に軸方向に整列するように互い違いになった脱着式の固定手段２０の軸筒３６、３８が形成されている。これらの着脱式の固定手段２０は、第１及び第２の構成要素１２、１４から成る２つの本体部分１６、１８を一体に保持するために、整列した軸筒３６、３８の対に挿通される１対の複数のピン４０も具備する。
【００２８】
さらには、第１及び第２の構成要素１２、１４から成る本体部分１６、１８の角変位した対向端１６Ａ、１６１３及び１８Ａ、１８Ｂに継手ピン４２、４４が形成されているが、それらは、第１及び第２の構成要素１２、１４が互いに固定されるときに内部貯槽２６の緊密な封止体を形成するように、それらの周囲にＯ−リングを備えて結合する。
【００２９】
装置１０は、整列した軸筒３６、３８の中にピン４０を挿入することによって、上で説明した電線管（図示せず）のねじ山付き端部回りに雌ねじ山付きの円筒形のクランプ用フランジ３４の両半分を装着することで、電線管のねじ山付き端部に連結されかつその上で定位置に保持される。ポンプが簡易連結部材２２を介して液体石鹸を内部貯槽２６の中へ送出するとき、液体石鹸は、装置１０を巡る内部貯槽２６を通って３６０度移動し、かつ内部の分注穴又は塗布穴２８、３０を介して電線の上に噴出する。この電線は装置１０の中央開口部３２に引き通されて電線管のねじ山付き端部の中に引き込まれている。
【００３０】
第１及び第２の構成要素１２、１４にはさらに、それらの本体部分１６、１８の軸方向に変位した側の他方に、雄ねじ山付きの円筒形ニップル４６のそれぞれの半部分が取り付いている。これらのニップル４６は、電線を垂直に引っ張っている間に、電線の損傷、又は確実に石鹸が「飛散しないで」電線に塗布されるための座ゴムの損傷を防止するために、このニップル上に套管を装着可能にする。
【００３１】
装置１０の実際の物理的サイズは、一人が電線を引き通している電線管の業界サイズに依存し、電線管のそれぞれの業界サイズ毎に異なるサイズの装置をもたらす。また、装置１０は、様々の適切な通常の材料を使用する様々の適切な通常の方法によって製造可能であり、かつ様々の異なる構成を有することが理解されるべきである。
【００３２】
要するに、自動電線潤滑装置１０は、すべての業界サイズの電線管を固締し、液体石鹸を装置１０の中に供給するための手動式又は電動式ポンプに連結する小型の雄アダプタ又は簡易連結部２２を有し、さらに複数の内部穴２８、３０（数が４つなど）を備えた二重ピン式の固締装置である。複数の内部穴２８、３０から液体石鹸が、装置１０の中央開口部３２に電線が引き通されるときにそれを潤滑するように、電線上に均一にかつ完全に分注される。装置１０の利点は、（１）飛散なしの塗布、（２）洗浄の軽減、（３）必要人力の削減、（４）費用の低減、及び（５）引っ張られている電線の潤滑作業の着実化である。
【００３３】
本発明及びその利点は以上の説明によって理解されるものであり、かつ本発明の趣旨及び範囲から逸脱することなく、またその材料面の利点を少しも犠牲にすることなく、本発明には様々な変更がなされ得ることは明白であり、以上に説明した形態は本発明の好ましいか又は例示的な実施形態であるに過ぎない。
【図面の簡単な説明】
【００３４】
【図１】組み付けた状態で示す本発明の自動電線潤滑装置を示す上面図である。
【図２】図１の線２−２に沿って見た本装置を示す側面図である。
【図３】図１の線３−３に沿って見た本装置を示す別の側面図である。
【図４】本装置の第１の構成要素を示す上面図であり、本装置のほぼ半分の一方を示す。
【図５】図４の線５−５に沿って見た本装置の第１の構成要素を示す側面図である。
【図６】図４の線５−５に沿って見た本装置の第１の構成要素を示す別の側面図である。
【図７】本装置の第２の構成要素を示す上面図であり、本装置のほぼ半分の他方を示す。
【図８】図７の線８−８に沿って見た本装置の第２の構成要素を示す側面図である。
【図９】図７の線９−９に沿って見た本装置の第２の構成要素を示す別の側面図である。
【図１】
2007521784.tif 000003
【図２】
2007521784.tif 000004
【図３】
2007521784.tif 000005
【図４】
2007521784.tif 000006
【図５】
2007521784.tif 000007
【図６】
2007521784.tif 000008
【図７】
2007521784.tif 000009
【図８】
2007521784.tif 000010
【図９】
2007521784.tif 000011
【国際調査報告】
2007521784.tif 000012
2007521784.tif 000013
2007521784.tif 000014